(57)【特許請求の範囲】
【請求項１】
移動管理処理において、移動管理用ノードが、無線基地局から、移動局の存在するセルを識別するセルＩＤを含む所定プロトコル用信号を受信する工程Ａと、
位置情報提供サービス処理において、前記移動管理用ノードが、測位演算用ノードに対して、前記移動管理処理で受信した所定プロトコル用信号に含まれる前記セルＩＤを含む測位処理信号（Ｌｏｃａｔｉｏｎ  Ｒｅｑｕｅｓｔ）を送信する工程Ｂと、
前記位置情報提供サービス処理において、前記測位演算用ノードが、受信した前記測位処理信号（Ｌｏｃａｔｉｏｎ  Ｒｅｑｕｅｓｔ）に含まれる前記セルＩＤを用いて、前記移動局の測位処理を行う工程Ｃとを有し、
前記所定プロトコルは、前記移動管理用ノードと前記無線基地局との間で終端することを特徴とする移動通信方法。
【請求項２】
移動管理処理において、無線基地局から、移動局の存在するセルを識別するセルＩＤを含む所定プロトコル用信号を受信するように構成されている移動管理処理部と、
位置情報提供サービス処理において、前記移動局の測位処理を行うように構成されている測位演算用ノードに対して、前記移動管理処理で受信した所定プ口トコル用信号に含まれる前記セルＩＤを含む測位処理信号（Ｌｏｃａｔｉｏｎ  Ｒｅｑｕｅｓｔ）を送信するように構成されている位置情報提供サービス処理部を具備し、
前記所定プロトコルは、移動管理用ノードと前記無線基地局との間で終端することを特徴とする移動管理用ノード。
【発明の詳細な説明】
【技術分野】
【０００１】
本発明は、移動通信方法、移動管理用ノード及び移動局に関する。
【背景技術】
【０００２】
３ＧＰＰで規定されている移動通信システムは、ＬＰＰ（ＬＴＥ  Ｐｏｓｉｔｉｏｎｉｎｇ  Ｐｒｏｔｏｃｏｌ）/ＬＰＰａ（ＬＴＥ  Ｐｏｓｉｔｉｏｎｉｎｇ  Ｐｒｏｔｏｃｏｌ  ａｎｎｅｘ）を用いて、移動局ＵＥの位置情報を提供する位置情報提供サービス（ＬＣＳ：ＬｏＣａｔｉｏｎ  Ｓｅｒｖｉｃｅｓ）を実現することができるように構成されている。
【先行技術文献】
【非特許文献】
【０００３】
【非特許文献１】３ＧＰＰ  ＴＳ２３.２７１  ｖ９.０.０
【非特許文献２】３ＧＰＰ  ＴＳ３６.３０５  ｖ１.０.０
【非特許文献３】３ＧＰＰ  ＴＳ２４.４０１  ｖ８.６.０
【発明の概要】
【発明が解決しようとする課題】
【０００４】
ここで、上述したＬＣＳでは、測位演算用ノードＥ-ＳＭＬＣ（Ｅｎｈａｎｃｅｄ-Ｓｅｒｖｉｎｇ  Ｍｏｂｉｌｅ  Ｌｏｃａｔｉｏｎ  Ｃｅｎｔｒｅ）が、移動局ＵＥが存在するセルを識別するＣｅｌｌ-ＩＤ（以下、移動局ＵＥのＣｅｌｌ-ＩＤと表記する）を用いて、移動局ＵＥの測位演算等の測位処理を行うように構成されている。【０００５】
しかしながら、３ＧＰＰでは、ＬＣＳにおいて、測位演算用ノードＥ-ＳＭＬＣが、どのようにして移動局ＵＥのＣｅｌｌ-ＩＤを取得すべきかについて明確に規定されていないという問題点があった。【０００６】
そこで、本発明は、上述の課題に鑑みてなされたものであり、ＬＣＳにおいて、測位演算用ノードＥ-ＳＭＬＣに対して最適な方法で移動局ＵＥのＣｅｌｌ-ＩＤを通知することができる移動通信方法、移動管理用ノード及び移動局を提供することを目的とする。
【課題を解決するための手段】
【０００７】
本発明の第１の特徴は、移動通信方法であって、移動管理処理において、移動管理用ノードが、移動局の存在するセルを識別するセルＩＤを取得して記憶する工程と、位置情報提供サービス処理において、前記移動管理用ノードが、測位演算用ノードに対して、記憶している前記セルＩＤを含む測位処理信号を送信する工程と、前記位置情報提供サービス処理において、前記測位演算用ノードが、受信した前記測位処理信号に含まれる前記セルＩＤを用いて、前記移動局の測位処理を行う工程とを有することを要旨とする。【０００８】
本発明の第２の特徴は、移動通信方法であって、位置情報提供サービス処理において、移動管理用ノードが、移動局の存在するセルを識別するセルＩＤを取得する工程Ａと、前記位置情報提供サービス処理において、前記移動管理用ノードが、測位演算用ノードに対して、取得した前記セルＩＤを含む測位処理信号を送信する工程Ｂと、前記位置情報提供サービス処理において、前記測位演算用ノードが、受信した前記測位処理信号に含まれる前記セルＩＤを用いて、前記移動局の測位処理を行う工程Ｃとを有することを要旨とする。【０００９】
本発明の第３の特徴は、移動管理用ノードであって、移動管理処理において、移動局の存在するセルを識別するセルＩＤを取得して記憶するように構成されている移動管理処理機能と、位置情報提供サービス処理において、前記移動局の測位処理を行うように構成されている測位演算用ノードに対して、前記移動管理処理機能において記憶されている前記セルＩＤを含む測位処理信号を送信するように構成されている位置情報提供サービス処理機能とを具備することを要旨とする。【００１０】
本発明の第４の特徴は、移動管理用ノードであって、位置情報提供サービス処理において、移動局の存在するセルを識別するセルＩＤを取得し、該移動局の測位処理を行うように構成されている測位演算用ノードに対して、取得した該セルＩＤを含む測位処理信号を送信するように構成されている位置情報提供サービス処理機能を具備することを要旨とする。【００１１】
本発明の第５の特徴は、移動局であって、位置情報提供サービス処理において、移動管理用ノードによって送信された測位通知要求を受信し、前記移動局の測位を許可する場合には、該移動管理用ノードに対して、その旨及び該移動局の存在するセルを識別するセルＩＤを含む測位通知応答を送信し、該移動局の測位を許可しない場合には、該移動管理用ノードに対して、その旨を含む測位通知応答を送信するように構成されている位置情報提供サービス処理機能を具備することを要旨とする。
【発明の効果】
【００１２】
以上説明したように、本発明によれば、ＬＣＳにおいて、測位演算用ノードＥ-ＳＭＬＣに対して最適な方法で移動局ＵＥのＣｅｌｌ-ＩＤを通知することができる移動通信方法、移動管理用ノード及び移動局を提供することができる。
【図面の簡単な説明】
【００１３】
【図１】本発明の第１の実施形態に係る移動通信システムの全体構成図である。
【図２】本発明の第１の実施形態に係る移動管理用ノードの機能を説明するための図である。
【図３】本発明の第１の実施形態に係る移動通信システムの動作を説明するための図である。
【図４】本発明の第１の実施形態に係る移動通信システムの動作を説明するためのシーケンス図である。
【図５】本発明の第１の実施形態に係る移動通信システムの動作を説明するためのシーケンス図である。
【図６】本発明の第１の実施形態に係る移動通信システムの動作を説明するためのシーケンス図である。
【図７】本発明の第１の実施形態に係る移動通信システムの動作を説明するためのシーケンス図である。
【図８】本発明の第１の実施形態に係る移動通信システムの動作を説明するためのシーケンス図である。
【図９】本発明の第２の実施形態に係る移動管理用ノードの機能を説明するための図である。
【図１０】本発明の第２の実施形態に係る移動通信システムの動作を説明するための図である。
【図１１】本発明の第２の実施形態に係る移動通信システムの動作を説明するためのシーケンス図である。
【図１２】本発明の第２の実施形態に係る移動通信システムの動作を説明するためのシーケンス図である。
【図１３】本発明の第１の実施形態に係る移動管理用ノードの機能について説明するための図である。
【発明を実施するための形態】
【００１４】
（本発明の第１の実施形態に係る移動通信システム）
図１乃至図８を参照して、本発明の第１の実施形態に係る移動通信システムについて説明する。
【００１５】
本実施形態に係る移動通信システムは、移動局ＵＥに対して、ＬＣＳ（位置情報サービス）を提供することができるように構成されている。具体的には、本実施形態に係る移動通信システムは、ＬＰＰ/ＬＰＰａを用いて、移動局ＵＥに対して、移動局ＵＥに係る「ＬＰＰ  ＰＤＵ」を提供することができるように構成されている。
【００１６】
図１に示すように、本実施形態に係る移動通信システムは、無線基地局ｅＮＢと、移動管理用ノードＭＭＥ（Ｍｏｂｉｌｉｔｙ  Ｍａｎａｇｅｍｅｎｔ  Ｅｎｔｉｔｙ）と、測位演算用ノードＥ-ＳＭＬＣと、ゲートウェイ装置Ｓ-ＧＷ（Ｓｅｒｖｉｎｇ  Ｇａｔｅｗａｙ）と、ゲートウェイ装置Ｐ-ＧＷ（ＰＤＮ  Ｇａｔｅｗａｙ）と、ノードＧＭＬＣ（Ｇａｔｅｗａｙ  Ｍｏｂｉｌｅ  Ｌｏｃａｔｉｏｎ  Ｃｅｎｔｒｅ）と、ノードＬＲＦ（Ｌｏｃａｔｉｏｎ  Ｒｅｔｒｉｅｖａｌ  Ｆｕｎｃｔｉｏｎ）と、ＩＭＳ（ＩＰ  Ｍｕｌｔｉｍｅｄｉａ  Ｓｕｂｓｙｓｔｅｍ）と、ＰＳＡＰ（Ｐｕｂｌｉｃ  Ｓａｆｅｔｙ  Ａｎｓｗｅｒ  Ｐｏｉｎｔ）とを具備している。
【００１７】
移動局ＵＥと無線基地局ｅＮＢとの間のインターフェイスは、ＬＴＥ-Ｕｕインターフェイスであり、移動局ＵＥと無線基地局ｅＮＢとの間では、シグナリンク用コネクション及びデータ信号/音声信号用コネクションが設定されるように構成されている。
【００１８】
無線基地局ｅＮＢとゲートウェイ装置Ｓ-ＧＷとの間のインターフェイスは、Ｓ１-Ｕインターフェイスであり、無線基地局ｅＮＢとゲートウェイ装置Ｓ-ＧＷとの間では、シグナリンク用コネクション及びデータ信号/音声信号用コネクションが設定されるように構成されている。
【００１９】
ゲートウェイ装置Ｓ-ＧＷとゲートウェイ装置Ｐ-ＧＷとの間のインターフェイスは、Ｓ５インターフェイスであり、ゲートウェイ装置Ｓ-ＧＷとゲートウェイ装置Ｐ-ＧＷとの間では、シグナリンク用コネクション及びデータ信号/音声信号用コネクションが設定されるように構成されている。
【００２０】
ゲートウェイ装置Ｐ-ＧＷとＩＭＳとの間のインターフェイスは、ＳＧｉインターフェイスであり、ゲートウェイ装置Ｐ-ＧＷとＩＭＳとの間では、シグナリンク用コネクション及びデータ信号/音声信号用コネクションが設定されるように構成されている。
【００２１】
無線基地局ｅＮＢと移動管理用ノードＭＭＥとの間のインターフェイスは、Ｓ１-ＭＭＥインターフェイスであり、無線基地局ｅＮＢと移動管理用ノードＭＭＥとの間では、シグナリンク用コネクションが設定されるように構成されている。
【００２２】
移動管理用ノードＭＭＥと測位演算用ノードＥ-ＳＭＬＣとの間のインターフェイスは、ＳＬｓインターフェイスであり、移動管理用ノードＭＭＥと測位演算用ノードＥ-ＳＭＬＣとの間では、シグナリンク用コネクションが設定されるように構成されている。
【００２３】
移動管理用ノードＭＭＥとノードＧＭＬＣとの間のインターフェイスは、ＳＬｇインターフェイスであり、移動管理用ノードＭＭＥとノードＧＭＬＣとの間では、シグナリンク用コネクションが設定されるように構成されている。
【００２４】
ノードＬＲＦとＩＭＳとの間のインターフェイスは、Ｍ１インターフェイスであり、ノードＬＲＦとＩＭＳとの間では、シグナリンク用コネクションが設定されるように構成されている。
【００２５】
ノードＬＲＦとＰＳＡＰとの間のインターフェイスは、Ｌｅ（例えば、Ｅ２）インターフェイスであり、ノードＬＲＦとＰＳＡＰとの間では、１つ又は複数の中間ノードを介して、シグナリンク用コネクションが設定されるように構成されている。
【００２６】
本実施形態に係る移動通信システムでは、移動局ＵＥの測位処理を行う機能は、無線基地局ｅＮＢではなく、測位演算用ノードＥ-ＳＭＬＣに設けられるように構成されている。
【００２７】
次に、図２を参照して、本実施形態に係る移動管理用ノードＭＭＥの機能の概略について説明する。
【００２８】
移動管理用ノードＭＭＥは、ＭＭ（Ｍｏｂｉｌｉｔｙ  Ｍａｎａｇｅｍｅｎｔ）処理機能及びＬＣＳ処理機能を具備している。
【００２９】
図２に示すように、移動管理用ノードＭＭＥのＭＭ処理部は、ＭＭ処理において、無線基地局ｅＮｏｄｅＢから、移動局ＵＥのＣｅｌｌ-ＩＤを含むＳ１-ＡＰ信号を受信するように構成されている。
【００３０】
また、移動管理用ノードＭＭＥのＭＭ処理部は、ＭＭ処理において、移動局ＵＥから、移動局ＵＥのＣｅｌｌ-ＩＤを含むＮＡＳ（Ｎｏｎ  Ａｃｃｅｓｓ  Ｓｔｒａｔｕｍ）信号を受信するように構成されている。
【００３１】
また、移動管理用ノードＭＭＥのＬＣＳ処理部は、ＬＣＳ処理において、移動局ＵＥから、ＬＣＳ-ＮＡＳ信号を受信するように構成されている。ここで、かかるＬＣＳ-ＮＡＳ信号には、移動局ＵＥのＣｅｌｌ-ＩＤが含まれていないものとする。
【００３２】
また、移動管理用ノードＭＭＥのＬＣＳ処理部は、ＬＣＳ処理において、ＭＭ処理において受信されたＳ１-ＡＰ信号又はＮＡＳ信号に含まれる移動局ＵＥのＣｅｌｌ-ＩＤを含むＬＣＳ-ＡＰ信号を、測位演算用ノードＥ-ＳＭＬＣに対して送信するように構成されている。
【００３３】
図１３を参照して、かかる移動管理用ノードＭＭＥが、移動局ＵＥからＮＡＳ信号を受信した場合の動作について説明する。
【００３４】
図１３に示すように、ステップＳ１において、移動局ＵＥは、無線基地局ｅＮｏｄｅＢに対して、「ＴＡＵ  Ｒｅｑｕｅｓｔ」を含むＲＲＣ信号を送信し、ステップＳ２において、無線基地局ｅＮｏｄｅＢは、移動管理用ノードＭＭＥに対して、移動局ＵＥのＣｅｌｌ-ＩＤ及び「ＴＡＵ  Ｒｅｑｕｅｓｔ」を含む「Ｉｎｉｔｉａｌ  ＵＥ  Ｍｅｓｓａｇｅ」を送信する。
【００３５】
ステップＳ３において、移動管理用ノードＭＭＥと移動局ＵＥとの間で、認証秘匿処理が行われる。
【００３６】
ステップＳ４において、移動管理用ノードＭＭＥは、無線基地局ｅＮｏｄｅＢに対して、「ＴＡＵ  Ａｃｃｅｐｔ」を含む「Ｄｏｗｎｌｉｎｋ  ＮＡＳ  Ｔｒａｎｓｐｏｒｔ」を送信する。
【００３７】
ステップＳ５において、移動管理用ノードＭＭＥは、測位演算用ノードＥ-ＳＭＬＣに対して、Ｃｅｌｌ-ＩＤを含むアップデート信号（ＬＣＳ-ＡＰ信号）を送信する。
【００３８】
ステップＳ６において、無線基地局ｅＮｏｄｅＢは、移動局ＵＥに対して、「ＴＡＵ  Ａｃｃｅｐｔ」を含むＲＲＣ信号を送信する。
【００３９】
ここで、図３を参照して、本発明の第１の実施形態に係る移動通信システムの動作の概要について説明する。
【００４０】
図３に示すように、ステップＳ１０１において、移動管理用ノードＭＭＥと移動局ＵＥとの間でＭＭ処理が行われ、ステップＳ１０２において、移動管理用ノードＭＭＥが、移動局ＵＥのＣｅｌｌ-ＩＤを取得して記憶する。
【００４１】
その後、移動管理用ノードＭＭＥは、ステップＳ１０３において、移動局ＵＥによって送信された測位要求又は測位通知応答を受信すると、ステップＳ１０４において、測位演算用ノードＥ-ＳＭＬＣに対して、ステップＳ１０２で記憶している移動局ＵＥのＣｅｌｌ-ＩＤを含む測位処理開始要求（測位処理信号）を送信する。
【００４２】
測位演算用ノードＥ-ＳＭＬＣは、受信した測位処理開始要求に含まれる移動局ＵＥのＣｅｌｌ-ＩＤを用いて、移動局ＵＥの測位処理を行う。
【００４３】
以下、図４乃至図８を参照して、本発明の第１の実施形態に係る移動通信システムの動作の詳細について説明する。
【００４４】
第１に、図４乃至図７を参照して、本発明の第１の実施形態に係る移動通信システムにおける「ＥＰＣ  Ｍｏｂｉｌｅ  Ｔｅｒｍｉｎａｔｉｎｇ  Ｌｏｃａｔｉｏｎ  Ｒｅｑｕｅｓｔ（ＥＰＣ-ＭＴ-ＬＲ）」の動作について説明する。図４の例では、移動局ＵＥは、通信を行っていない状態（アイドル状態）であるものとする。
【００４５】
図４に示すように、ステップＳ１００１において、ＬＣＳ  ＣｌｉｅｎｔとノードＧＭＬＣとノードＨＬＲ（Ｈｏｍｅ  Ｌｏｃａｔｉｏｎ  Ｒｅｇｉｓｔｅｒ）/ＨＳＳ（Ｈｏｍｅ  Ｓｕｂｓｃｒｉｂｅｒ  Ｓｅｒｖｅｒ）との間で、ＰＳ（Ｐａｃｋｅｔ  Ｓｗｉｔｃｈｉｎｇ）/ＣＳ（Ｃｉｒｃｕｉｔ  Ｓｗｉｔｃｈｉｎｇ）ドメインにおける「Ｃｏｍｍｏｎ  ＭＴ-ＬＲ」手順が行われる。
【００４６】
ステップＳ１００２において、ノードＧＭＬＣは、移動管理用ノードＭＭＥに対して、「Ｐｒｏｖｉｄｅ  Ｓｕｂｓｃｒｉｂｅｒ  Ｌｏｃａｔｉｏｎ」を送信する。
【００４７】
ステップＳ１００３において、移動管理用ノードＭＭＥと無線基地局ｅＮｏｄｅＢと移動局ＵＥとの間で、ＭＭ処理としての「Ｎｅｔｗｏｒｋ  Ｔｒｉｇｇｅｒｅｄ  Ｓｅｒｖｉｃｅ  Ｒｅｑｕｅｓｔ」手順が行われる。ここで、「Ｎｅｔｗｏｒｋ  Ｔｒｉｇｇｅｒｅｄ  Ｓｅｒｖｉｃｅ  Ｒｅｑｕｅｓｔ」手順は、具体的には、図５に示すように行われる。
【００４８】
図５に示すように、ステップＳ１００３Ａにおいて、移動管理用ノードＭＭＥが、無線基地局ｅＮｏｄｅＢに対して、移動局ＵＥ宛ての「Ｐａｇｉｎｇ」を送信し、ステップＳ１００３Ｂにおいて、無線基地局ｅＮｏｄｅＢは、移動局ＵＥに対して、移動局ＵＥ宛ての「Ｐａｇｉｎｇ」を送信する。
【００４９】
その後、ステップＳ１００３Ｂにおいて、手順（Ａ）が行われる。ここで、手順（Ａ）は、具体的には、図６に示すように行われる。
【００５０】
図６に示すように、ステップＳ２００１Ａにおいて、移動局ＵＥは、無線基地局ｅＮｏｄｅＢに対して、「Ｓｅｒｖｉｃｅ  Ｒｅｑｕｅｓｔ」を含むＲＲＣ信号を送信し、ステップＳ２００１Ｂにおいて、無線基地局ｅＮｏｄｅＢは、移動管理用ノードＭＭＥに対して、受信した「Ｓｅｒｖｉｃｅ  Ｒｅｑｕｅｓｔ」及び移動局ＵＥのＣｅｌｌ-ＩＤを含む「Ｉｎｉｔｉａｌ  ＵＥ  Ｍｅｓｓａｇｅ」を送信する。
【００５１】
ステップＳ２００１Ｃにおいて、移動管理用ノードＭＭＥと移動局ＵＥとの間で、認証秘匿処理が行われる。
【００５２】
このように、ＭＭ処理、具体的には、「Ｎｅｔｗｏｒｋ  Ｔｒｉｇｇｅｒｅｄ  Ｓｅｒｖｉｃｅ  Ｒｅｑｕｅｓｔ」手順において、移動管理用ノードＭＭＥは、移動局ＵＥのＣｅｌｌ-ＩＤを取得して記憶する。
【００５３】
次に、図４に示すように、かかる「Ｎｅｔｗｏｒｋ  Ｔｒｉｇｇｅｒｅｄ  Ｓｅｒｖｉｃｅ  Ｒｅｑｕｅｓｔ」手順が完了すると、ステップＳ１００４乃至Ｓ１００８を含むＬＣＳ処理が開始される。
【００５４】
ステップＳ１００４において、移動管理用ノードＭＭＥは、移動局ＵＥに対して、「（ＬＣＳ-ＮＡＳ）  Ｌｏｃａｔｉｏｎ  Ｎｏｔｉｆｉｃａｔｉｏｎ  Ｉｎｖｏｋｅ（測位通知要求）」を送信する。
【００５５】
ステップＳ１００５において、移動局ＵＥは、移動管理用ノードＭＭＥに対して、「（ＬＣＳ-ＮＡＳ）  Ｌｏｃａｔｉｏｎ  Ｎｏｔｉｆｉｃａｔｉｏｎ  Ｒｅｔｕｒｎ  Ｒｅｓｕｌｔ（測位通知応答）」を送信する。
【００５６】
ステップＳ１００６において、移動管理用ノードＭＭＥは、ＭＭ処理において取得した移動局ＵＥのＣｅｌｌ-ＩＤを含む「（ＬＣＳ-ＡＰ）  Ｌｏｃａｔｉｏｎ  Ｒｅｑｕｅｓｔ（測位要求）」を、測位演算用ノードＥ-ＳＭＬＣに対して送信する。
【００５７】
ステップＳ１００７において、測位演算用ノードＥ-ＳＭＬＣは、受信した移動局ＵＥのＣｅｌｌ-ＩＤを用いて、移動局ＵＥの測位処理手順「Ｐｏｓｉｔｉｏｎｉｎｇ  Ｐｒｏｃｅｄｕｒｅ」を実施する。
【００５８】
かかる移動局ＵＥの測位処理手順「Ｐｏｓｉｔｉｏｎｉｎｇ  Ｐｒｏｃｅｄｕｒｅ」は、図７に示すように行われる。
【００５９】
図７に示すように、ステップＳ１００７Ａにおいて、測位演算用ノードＥ-ＳＭＬＣは、移動局ＵＥのＣｅｌｌ-ＩＤを用いて生成された移動局ＵＥが測位を行う際に必要なパラメータである「Ａｓｓｉｔａｎｃｅ  Ｄａｔａ」を、移動局ＵＥに対して送信する。
【００６０】
なお、「Ａｓｓｉｔａｎｃｅ  Ｄａｔａ」は、ステップＳ１００７Ｂ乃至Ｓ１００７Ｄによって、移動局ＵＥに対して通知されてもよい。
【００６１】
ステップＳ１００７Ｂにおいて、測位演算用ノードＥ-ＳＭＬＣは、移動管理用ノードＭＭＥに対して、ＬＰＰ信号である「ＤＬ  Ｐｏｓｉｔｉｏｎｉｎｇ  Ｍｅｓｓａｇｅ」を含む「Ｐｏｓｉｔｉｏｎｉｎｇ  Ｒｅｑｕｓｔ」を送信する。
【００６２】
ステップＳ１００７Ｃにおいて、移動管理用ノードＭＭＥは、無線基地局ｅＮｏｄｅＢに対して、「ＤＬ  Ｐｏｓｉｔｉｏｎｉｎｇ  Ｍｅｓｓａｇｅ」を含む「ＮＡＳ  Ｔｒａｎｓｐｏｒｔ」を送信する。
【００６３】
ステップＳ１００７Ｄにおいて、無線基地局ｅＮｏｄｅＢは、移動局ＵＥに対して、「ＤＬ  Ｐｏｓｉｔｉｏｎｉｎｇ  Ｍｅｓｓａｇｅ」を送信する。
【００６４】
ステップＳ１００７Ｅにおいて、移動局ＵＥは、「Ａｓｓｉｔａｎｃｅ  Ｄａｔａ」を用いて、移動局ＵＥの測位（例えば、ＧＰＳ測位）を行う。
【００６５】
ステップＳ１００７Ｆにおいて、移動局ＵＥは、無線基地局ｅＮｏｄｅＢに対して、移動局ＵＥの測位処理結果を含む「ＵＬ  Ｐｏｓｉｔｉｏｎｉｎｇ  Ｍｅｓｓａｇｅ」を送信する。
【００６６】
ステップＳ１００７Ｇにおいて、無線基地局ｅＮｏｄｅＢは、移動管理用ノードＭＭＥに対して、「ＵＬ  Ｐｏｓｉｔｉｏｎｉｎｇ  Ｍｅｓｓａｇｅ」を含む「ＮＡＳ  Ｔｒａｎｓｐｏｒｔ」を送信する。
【００６７】
ステップＳ１００７Ｈにおいて、移動管理用ノードＭＭＥは、測位演算用ノードＥ-ＳＭＬＣに対して、「ＵＬ  Ｐｏｓｉｔｉｏｎｉｎｇ  Ｍｅｓｓａｇｅ」を含む「Ｐｏｓｉｔｉｏｎｉｎｇ  Ｒｅｓｐｏｎｓｅ」を送信する。
【００６８】
かかる移動局ＵＥの測位処理手順「Ｐｏｓｉｔｉｏｎｉｎｇ  Ｐｒｏｃｅｄｕｒｅ」が完了すると、図４に示すように、ステップＳ１００８において、測位演算用ノードＥ-ＳＭＬＣは、移動管理用ノードＭＭＥに対して、移動局ＵＥの測位処理結果（移動局ＵＥの位置情報）を含む「Ｌｏｃａｔｉｏｎ  Ｒｅｓｐｏｎｓｅ（測位応答）」を送信する。
【００６９】
ＬＣＳ処理が完了すると、ステップＳ１００９において、移動管理用ノードＭＭＥは、ノードＧＭＬＣに対して、測位処理結果等を含む「Ｐｒｏｖｉｄｅ  Ｓｕｂｓｃｒｉｂｅｒ  Ｌｏｃａｔｉｏｎ  ａｃｋ」を送信する。
【００７０】
ステップＳ１０１０において、ＬＣＳ  ＣｌｉｅｎｔとノードＧＭＬＣとノードＨＬＲ/ＨＳＳとの間で、ＰＳ/ＣＳドメインにおける「Ｃｏｍｍｏｎ  ＭＴ-ＬＲ」手順が行われる。
【００７１】
第２に、図６乃至図８を参照して、本発明の第１の実施形態に係る移動通信システムにおける「ＥＰＣ  Ｍｏｂｉｌｅ  Ｏｒｉｇｉｎａｔｉｎｇ  Ｌｏｃａｔｉｏｎ  Ｒｅｑｕｅｓｔ（ＥＰＣ-ＭＯ-ＬＲ）」の動作について説明する。図８の例では、移動局ＵＥは、通信を行っていない状態（アイドル状態）であるものとする。
【００７２】
図８に示すように、ステップＳ２００１において、移動管理用ノードＭＭＥと無線基地局ｅＮｏｄｅＢと移動局ＵＥとの間で、ＭＭ処理としての「ＵＥ  Ｔｒｉｇｇｅｒｅｄ  Ｓｅｒｖｉｃｅ  Ｒｅｑｕｅｓｔ」手順が行われる。ここで、「ＵＥ  Ｔｒｉｇｇｅｒｅｄ  Ｓｅｒｖｉｃｅ  Ｒｅｑｕｅｓｔ」手順は、具体的には、上述した図６に示すように行われる。
【００７３】
このように、ＭＭ処理、具体的には、「ＵＥ  Ｔｒｉｇｇｅｒｅｄ  Ｓｅｒｖｉｃｅ  Ｒｅｑｕｅｓｔ」手順において、移動管理用ノードＭＭＥは、移動局ＵＥのＣｅｌｌ-ＩＤを取得して記憶する。
【００７４】
次に、図８に示すように、かかる「ＵＥ  Ｔｒｉｇｇｅｒｅｄ  Ｓｅｒｖｉｃｅ  Ｒｅｑｕｅｓｔ」手順が完了すると、ステップＳ２００２乃至Ｓ２００５を含むＬＣＳ処理が開始される。
【００７５】
ステップＳ２００２において、移動局ＵＥは、移動管理用ノードＭＭＥに対して、「（ＬＣＳ-ＮＡＳ）  ＭＯ-ＬＲ  Ｒｅｑｕｅｓｔ」を送信する。
【００７６】
ステップＳ２００３において、移動管理用ノードＭＭＥは、ＭＭ処理（ステップＳ２００１）において取得した移動局ＵＥのＣｅｌｌ-ＩＤを含む「（ＬＣＳ-ＡＰ）  Ｌｏｃａｔｉｏｎ  Ｒｅｑｕｅｓｔ（測位要求）」を、測位演算用ノードＥ-ＳＭＬＣに対して送信する。
【００７７】
ステップＳ２００４において、測位演算用ノードＥ-ＳＭＬＣは、受信した移動局ＵＥのＣｅｌｌ-ＩＤを用いて、移動局ＵＥの測位処理手順「Ｐｏｓｉｔｉｏｎｉｎｇ  Ｐｒｏｃｅｄｕｒｅ」を実施する。
【００７８】
かかる移動局ＵＥの測位処理手順「Ｐｏｓｉｔｉｏｎｉｎｇ  Ｐｒｏｃｅｄｕｒｅ」は、上述した図７に示すように行われる。
【００７９】
かかる移動局ＵＥの測位処理手順「Ｐｏｓｉｔｉｏｎｉｎｇ  Ｐｒｏｃｅｄｕｒｅ」が完了すると、図８に示すように、ステップＳ２００５において、測位演算用ノードＥ-ＳＭＬＣは、移動管理用ノードＭＭＥに対して、移動局ＵＥの測位処理結果（移動局ＵＥの位置情報）を含む「（ＬＣＳ-ＡＰ）  Ｌｏｃａｔｉｏｎ  Ｒｅｓｐｏｎｓｅ（測位応答）」を送信する。
【００８０】
ステップ２００６において、移動管理用ノードＭＭＥは、ノードＶ-ＧＭＬＣに対して、移動局ＵＥの測位処理結果を含む「Ｓｕｂｓｃｒｉｂｅｒ  Ｌｏｃａｔｉｏｎ  Ｒｅｐｏｒｔ」を送信し、ステップＳ２００７において、ノードＶ-ＧＭＬＣは、ノードＨ-ＧＭＬＣに対して、移動局ＵＥの測位処理結果を含む「ＭＯ-ＬＲ  Ｌｏｃａｔｉｏｎ  Ｉｎｆｏｒｍａｔｉｏｎ」を送信する。
【００８１】
ステップＳ２００８において、ノードＨ-ＧＭＬＣは、ノードＧＭＬＣに対して、移動局ＵＥの測位処理結果を含む「ＭＯ-ＬＲ  Ｌｏｃａｔｉｏｎ  Ｉｎｆｏｒｍａｔｉｏｎ」を送信し、ノードＧＭＬＣは、ＬＣＳ  Ｃｌｉｅｎｔに対して、移動局ＵＥの測位処理結果を含む「Ｌｏｃａｔｉｏｎ  Ｉｎｆｏｒｍａｔｉｏｎ」を送信する。
【００８２】
ステップＳ２０１０において、ＬＣＳ  Ｃｌｉｅｎｔは、ノードＧＭＬＣに対して、「Ｌｏｃａｔｉｏｎ  Ｉｎｆｏｒｍａｔｉｏｎ  Ａｃｋ」を送信し、ステップＳ２０１１において、ノードＧＭＬＣは、ノードＨ-ＧＭＬＣに対して、「ＭＯ-ＬＲ  Ｌｏｃａｔｉｏｎ  Ｉｎｆｏｒｍａｔｉｏｎ  Ａｃｋ」を送信する。
【００８３】
ステップＳ２０１２において、ノードＨ-ＧＭＬＣは、ノードＶ-ＧＭＬＣに対して、「ＭＯ-ＬＲ  Ｌｏｃａｔｉｏｎ  Ｉｎｆｏｒｍａｔｉｏｎ  Ａｃｋ」を送信し、ステップＳ２０１３において、ノードＶ-ＧＭＬＣは、移動管理用ノードＭＭＥに対して、「Ｓｕｂｓｃｒｉｂｅｒ  Ｌｏｃａｔｉｏｎ  Ｒｅｐｏｒｔ  Ａｃｋ」を送信する。
【００８４】
ステップＳ２０１４において、移動管理用ノードＭＭＥは、移動局ＵＥに対して、移動局ＵＥの測位処理結果を含む「ＮＡＳ  ＭＯ-ＬＲ  Ｒｅｓｐｏｎｓｅ」を送信する。
【００８５】
本発明の第１の実施形態に係る移動通信システムによれば、ＭＭ処理とＬＣＳ処理とが連携することによって、測位演算用ノードＥ-ＳＭＬＣに対して、ＭＭ処理において移動管理用ノードＭＭＥによって取得される移動局ＵＥのＣｅｌｌ-ＩＤを通知することができる。
【００８６】
（本発明の第２の実施形態に係る移動通信システム）
図９乃至図１２を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００８７】
次に、図９を参照して、本実施形態に係る移動管理用ノードＭＭＥの機能の概略について説明する。
【００８８】
図９に示すように、移動管理用ノードＭＭＥのＬＣＳ処理部は、ＬＣＳ処理において、移動局ＵＥから、移動局ＵＥのＣｅｌｌ-ＩＤを含むＬＣＳ-ＮＡＳ信号を受信するように構成されている。なお、かかるＬＣＳ-ＮＡＳ信号には、移動局ＵＥのＣｅｌｌ-ＩＤが含まれていなくてもよい。
【００８９】
また、移動管理用ノードＭＭＥのＬＣＳ処理部は、ＬＣＳ処理において、上述のＬＣＳ-ＮＡＳ信号と共に、移動局ＵＥのＣｅｌｌ-ＩＤを含むＳ１-ＡＰ信号（所定プロトコル信号）を受信するように構成されている。ここで、かかるＳ１-ＡＰ信号（所定プロトコル用信号）は、移動管理用ノードＭＭＥと無線基地局ｅＮＢとの間で終端するプロトコルで用いられる信号である。
【００９０】
また、移動管理用ノードＭＭＥのＬＣＳ処理部は、ＬＣＳ処理において、ＬＣＳにおいて受信されたＬＣＳ-ＮＡＳ信号或いはＳ１-ＡＰ信号に含まれる移動局ＵＥのＣｅｌｌ-ＩＤを含むＬＣＳ-ＡＰ信号を、測位演算用ノードＥ-ＳＭＬＣに対して送信するように構成されている。
【００９１】
ここで、図１０を参照して、本発明の第２の実施形態に係る移動通信システムの動作の概要について説明する。
【００９２】
図１０に示すように、ステップＳ２０１において、移動管理用ノードＭＭＥと移動局ＵＥとの間でＭＭ処理が行われ、ステップＳ２０２において、移動管理用ノードＭＭＥが、移動局ＵＥのＣｅｌｌ-ＩＤを取得して記憶する。
【００９３】
その後、移動管理用ノードＭＭＥは、ステップＳ２０３において、移動局ＵＥから、移動局ＵＥのＣｅｌｌ-ＩＤを含む測位要求又は測位通知応答を受信すると、ステップＳ２０４において、測位演算用ノードＥ-ＳＭＬＣに対して、ステップＳ２０２で記憶している移動局ＵＥのＣｅｌｌ-ＩＤではなく、ステップＳ２０３において  或いは、移動管理用ノードＭＭＥは、ステップＳ２０３において、無線基地局ｅＮＢから、移動局ＵＥのＣｅｌｌ-ＩＤを含むＳ１-ＡＰ信号を受信すると、ステップＳ２０４において、測位演算用ノードＥ-ＳＭＬＣに対して、ステップＳ２０２で記憶している移動局ＵＥのＣｅｌｌ-ＩＤではなく、ステップＳ２０３において受信した移動局ＵＥのＣｅｌｌ-ＩＤを含む測位処理開始要求を送信する。
【００９４】
測位演算用ノードＥ-ＳＭＬＣは、受信した測位処理開始要求に含まれる移動局ＵＥのＣｅｌｌ-ＩＤを用いて、移動局ＵＥの測位処理を行う。
【００９５】
以下、図１１及び図１２を参照して、本発明の第２の実施形態に係る移動通信システムの動作の詳細について説明する。
【００９６】
第１に、図１１を参照して、本発明の第２の実施形態に係る移動通信システムにおける「ＥＰＣ  Ｍｏｂｉｌｅ  Ｔｅｒｍｉｎａｔｉｎｇ  Ｌｏｃａｔｉｏｎ  Ｒｅｑｕｅｓｔ（ＥＰＣ-ＭＴ-ＬＲ）」の動作について説明する。図１１の例では、移動局ＵＥは、通信を行っていない状態（アイドル状態）であるものとする。
【００９７】
図１１に示すように、ステップＳ３００１乃至Ｓ３００３の動作は、図４に示すステップＳ１００１乃至Ｓ１００３の動作と同一である。
【００９８】
ステップＳ３００４において、移動管理用ノードＭＭＥは、移動局ＵＥに対して、「（ＬＣＳ-ＮＡＳ）  Ｌｏｃａｔｉｏｎ  Ｎｏｔｉｆｉｃａｔｉｏｎ  Ｉｎｖｏｋｅ（測位通知要求）」を送信する。
【００９９】
ステップＳ３００５において、移動局ＵＥは、移動管理用ノードＭＭＥに対して、移動局ＵＥのＣｅｌｌ-ＩＤを含む「（ＬＣＳ-ＮＡＳ）  Ｌｏｃａｔｉｏｎ  Ｎｏｔｉｆｉｃａｔｉｏｎ  Ｒｅｔｕｒｎ  Ｒｅｓｕｌｔ（測位通知応答）」を送信する。
【０１００】
なお、移動局ＵＥが測位されることを許容しない場合、「（ＮＡＳ）  Ｌｏｃａｔｉｏｎ  Ｎｏｔｉｆｉｃａｔｉｏｎ  Ｒｅｔｕｒｎ  Ｒｅｓｕｌｔ（測位通知応答）」は、移動局ＵＥのＣｅｌｌ-ＩＤを含まない。
【０１０１】
ステップＳ３００６において、移動管理用ノードＭＭＥは、移動管理用ノードＭＭＥによって取得された移動局ＵＥのＣｅｌｌ-ＩＤを含む「（ＬＣＳ-ＡＰ）  Ｌｏｃａｔｉｏｎ  Ｒｅｑｕｅｓｔ（測位要求）」を、測位演算用ノードＥ-ＳＭＬＣに対して送信する。
【０１０２】
以下、ステップＳ３００７乃至Ｓ３０１０の動作は、図４に示すステップＳ１００７乃至Ｓ１０１０の動作と同一である。
【０１０３】
第２に、図１２を参照して、本発明の第２の実施形態に係る移動通信システムにおける「ＥＰＣ  Ｍｏｂｉｌｅ  Ｏｒｉｇｉｎａｔｉｎｇ  Ｌｏｃａｔｉｏｎ  Ｒｅｑｕｅｓｔ（ＥＰＣ-ＭＯ-ＬＲ）」の動作について説明する。図１２の例では、移動局ＵＥは、通信を行っていない状態（アイドル状態）であるものとする。
【０１０４】
図１２に示すように、ステップＳ４００１の動作は、図８に示すステップＳ２００１の動作と同一である。
【０１０５】
ステップＳ４００２において、移動局ＵＥは、移動管理用ノードＭＭＥに対して、移動局ＵＥのＣｅｌｌ-ＩＤを含む「（ＬＣＳ-ＮＡＳ）  ＭＯ-ＬＲ  Ｒｅｑｕｅｓｔ」を送信する。
【０１０６】
ステップＳ４００３において、移動管理用ノードＭＭＥは、ステップＳ４００２において取得した移動局ＵＥのＣｅｌｌ-ＩＤを含む「（ＬＣＳ-ＡＰ）  Ｌｏｃａｔｉｏｎ  Ｒｅｑｕｅｓｔ（測位要求）」を、測位演算用ノードＥ-ＳＭＬＣに対して送信する。
【０１０７】
以下、ステップＳ４００４乃至Ｓ４０１４の動作は、図８に示すステップＳ２００４乃至Ｓ２０１４の動作と同一である。
【０１０８】
本発明の第２の実施形態に係る移動通信システムによれば、ＭＭ処理とは独立に、ＬＣＳ処理のみにおいて、測位演算用ノードＥ-ＳＭＬＣに対して、移動局ＵＥのＣｅｌｌ-ＩＤを通知することができ、移動管理用ノードＭＭＥの処理の複雑化を回避することができる。
【０１０９】
また、本発明の第２の実施形態に係る移動通信システムによれば、移動局ＵＥが、無線基地局ｅＮｏｄｅＢ内で、Ｃｅｌｌ-ＩＤの変更を伴う移動をした場合等でも、移動局ＵＥが、保持する最新のＣｅｌｌ-ＩＤを測位演算用ノードＥ-ＳＭＬＣへ通知することが可能となる。
【０１１０】
以上に述べた本実施形態の特徴は、以下のように表現されていてもよい。
【０１１１】
本実施形態の第１の特徴は、移動通信方法であって、ＭＭ処理（移動管理処理）において、移動管理用ノードＭＭＥが、移動局ＵＥの存在するセルを識別するＣｅｌｌ-ＩＤ（セルＩＤ）を取得して記憶する工程と、ＬＣＳ処理（位置情報提供サービス処理）において、移動管理用ノードＭＭＥが、測位演算用ノードＥ-ＳＭＬＣに対して、記憶しているＣｅｌｌ-ＩＤを含む測位処理開始要求（測位処理信号）「Ｌｏｃａｔｉｏｎ  Ｒｅｑｕｅｓｔ」を送信する工程と、ＬＣＳ処理において、測位演算用ノードＥ-ＳＭＬＣが、受信した測位処理開始要求「Ｌｏｃａｔｉｏｎ  Ｒｅｑｕｅｓｔ」に含まれるＣｅｌｌ-ＩＤを用いて、移動局ＵＥの測位処理を行う工程とを有することを要旨とする。
【０１１２】
本実施形態の第２の特徴は、移動通信方法であって、ＬＣＳ処理において、移動管理用ノードＭＭＥが、移動局ＵＥの存在するセルを識別するＣｅｌｌ-ＩＤを取得する工程Ａと、ＬＣＳ処理において、移動管理用ノードＭＭＥが、測位演算用ノードＥ-ＳＭＬＣに対して、取得したＣｅｌｌ-ＩＤを含む測位処理開始要求「Ｌｏｃａｔｉｏｎ  Ｒｅｑｕｅｓｔ」を送信する工程Ｂと、ＬＣＳ処理において、測位演算用ノードＥ-ＳＭＬＣが、受信した測位処理開始要求「Ｌｏｃａｔｉｏｎ  Ｒｅｑｕｅｓｔ」に含まれるＣｅｌｌ-ＩＤを用いて、移動局ＵＥの測位処理を行う工程Ｃとを有することを要旨とする。
【０１１３】
本実施形態の第２の特徴において、工程Ａは、移動局ＵＥが、移動管理用ノードＭＭＥからの測位通知要求「（ＮＡＳ）  Ｌｏｃａｔｉｏｎ  Ｎｏｔｉｆｉｃａｔｉｏｎ  Ｉｎｖｏｋｅ」に応じて、移動管理用ノードＭＭＥに対して、Ｃｅｌｌ-ＩＤを含む測位通知応答「（ＮＡＳ）  Ｌｏｃａｔｉｏｎ  Ｎｏｔｉｆｉｃａｔｉｏｎ  Ｒｅｔｕｒｎ  Ｒｅｓｕｌｔ」を送信する工程と有してもよい。
【０１１４】
本実施形態の第２の特徴において、工程Ａは、移動局ＵＥが、移動管理用ノードＭＭＥに対して、Ｃｅｌｌ-ＩＤを含む測位要求「ＭＯ-ＬＲ  Ｒｅａｑｕｅｓｔ」を送信する工程と有してもよい。
【０１１５】
本実施形態の第３の特徴は、移動管理用ノードＭＭＥであって、ＭＭ処理において、移動局ＵＥの存在するセルを識別するＣｅｌｌ-ＩＤを取得して記憶するように構成されているＭＭ処理機能（移動管理処理機能）と、ＬＣＳ処理において、移動局ＵＥの測位処理を行うように構成されている測位演算用ノードＥ-ＳＭＬＣに対して、ＭＭ処理機能において記憶されているＣｅｌｌ-ＩＤを含む測位処理開始要求「Ｌｏｃａｔｉｏｎ  Ｒｅｑｕｅｓｔ」を送信するように構成されているＬＣＳ処理機能（位置情報提供サービス処理機能）とを具備することを要旨とする。
【０１１６】
本実施形態の第４の特徴は、移動管理用ノードＭＭＥであって、ＬＣＳ処理において、移動局ＵＥの存在するセルを識別するＣｅｌｌ-ＩＤを取得し、移動局ＵＥの測位処理を行うように構成されている測位演算用ノードＥ-ＳＭＬＣに対して、取得したＣｅｌｌ-ＩＤを含む測位処理開始要求「Ｌｏｃａｔｉｏｎ  Ｒｅｑｕｅｓｔ」を送信するように構成されているＬＣＳ処理機能を具備することを要旨とする。
【０１１７】
本実施形態の第４の特徴において、ＬＣＳ処理機能は、ＬＣＳ処理において、移動局ＵＥに対して測位通知要求「（ＮＡＳ）  Ｌｏｃａｔｉｏｎ  Ｎｏｔｉｆｉｃａｔｉｏｎ  Ｉｎｖｏｋｅ」を送信し、かかる測位通知要求「（ＮＡＳ）  Ｌｏｃａｔｉｏｎ  Ｎｏｔｉｆｉｃａｔｉｏｎ  Ｉｎｖｏｋｅ」に応じて移動局ＵＥによって送信されたＣｅｌｌ-ＩＤを含む測位通知応答「（ＮＡＳ）  Ｌｏｃａｔｉｏｎ  Ｎｏｔｉｆｉｃａｔｉｏｎ  Ｒｅｔｕｒｎ  Ｒｅｓｕｌｔ」を受信するように構成されていてもよい。
【０１１８】
本実施形態の第４の特徴において、ＬＣＳ処理機能は、ＬＣＳ処理において、移動局ＵＥによって送信されたＣｅｌｌ-ＩＤを含む測位要求「ＮＡＳ  ＭＯ-ＬＲ  Ｒｅａｑｕｅｓｔ」を受信するように構成されていてもよい。
【０１１９】
本実施形態の第５の特徴は、移動局ＵＥであって、ＬＣＳ処理において、移動管理用ノードＭＭＥによって送信された測位通知要求「（ＮＡＳ）  Ｌｏｃａｔｉｏｎ  Ｎｏｔｉｆｉｃａｔｉｏｎ  Ｉｎｖｏｋｅ」を受信し、移動局ＵＥの測位を許可する場合には、移動管理用ノードＭＭＥに対して、その旨及び移動局ＵＥの存在するセルを識別するＣｅｌｌ-ＩＤを含む測位通知応答「（ＮＡＳ）  Ｌｏｃａｔｉｏｎ  Ｎｏｔｉｆｉｃａｔｉｏｎ  Ｒｅｔｕｒｎ  Ｒｅｓｕｌｔ」を送信し、移動局ＵＥの測位を許可しない場合には、移動管理用ノードＭＭＥに対して、その旨を含む測位通知応答「（ＮＡＳ）  Ｌｏｃａｔｉｏｎ  Ｎｏｔｉｆｉｃａｔｉｏｎ  Ｒｅｔｕｒｎ  Ｒｅｓｕｌｔ」を送信するように構成されているＬＣＳ処理機能を具備することを要旨とする。
【０１２０】
なお、上述の移動局ＵＥ、無線基地局ｅＮｏｄｅＢ、ノードＭＭＥ、ノードＥ-ＳＭＬＣの動作は、ハードウェアによって実施されてもよいし、プロセッサによって実行されるソフトウェアモジュールによって実施されてもよいし、両者の組み合わせによって実施されてもよい。
【０１２１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ、無線基地局ｅＮｏｄｅＢ、ノードＭＭＥ、ノードＥ-ＳＭＬＣ内に設けられていてもよい。また、かかる記憶媒体及びプロセッサは、ディスクリートコンポーネントとして移動局ＵＥ、無線基地局ｅＮｏｄｅＢ、ノードＭＭＥ、ノードＥ-ＳＭＬＣ内に設けられていてもよい。
【０１２３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【図１】
0005882737.tif 000002
【図２】
0005882737.tif 000003
【図３】
0005882737.tif 000004
【図４】
0005882737.tif 000005
【図５】
0005882737.tif 000006
【図６】
0005882737.tif 000007
【図７】
0005882737.tif 000008
【図８】
0005882737.tif 000009
【図９】
0005882737.tif 000010
【図１０】
0005882737.tif 000011
【図１１】
0005882737.tif 000012
【図１２】
0005882737.tif 000013
【図１３】
0005882737.tif 000014